(57)【特許請求の範囲】
【請求項１】
アパーチャーを挟んだ一方に設けられパトローネを装填するパトローネ収納室と、他方に設けられパトローネから引き出した未露光の写真フイルムを収納するフイルム収納室とを有した本体部と、
前記パトローネ収納室の外に回転自在に組み込むことで内部のパトローネの軸芯に係合し、フイルム巻き上げ方向に回転することで撮影済みの写真フイルムをパトローネ内に巻き上げるとともに、外周に歯列を形成したフイルム巻き上げ用の巻き上げノブと、を備えたレンズ付きフイルムユニットにおいて、
先端が前記巻き上げノブの歯列に係合するように前記本体部に突出して設けられ前記巻き上げノブのフイルム巻き上げ方向への回転時に先端が前記歯列の歯を乗り越えるように根元との間で弾性変形してその巻き上げノブの回転を許容するとともに、前記フイルム巻き上げ方向への回転に対して逆転したときには復元力により前記歯列のうちの何れかの歯溝に入り込んでその巻き上げノブの逆転を阻止する逆止爪と、
一部が前記巻き上げノブの歯列以外の部位又は巻き上げノブ以外の部材に当接するように前記逆止爪の先端と根元との間の部位に突出して一体的に設けられており、前記逆止爪が弾性変形して先端が前記歯を乗り越えた後に復元する振動を軽減して消音する消音片と、を有した消音用逆止爪部材を備えたことを特徴とするレンズ付きフイルムユニット。
【請求項２】
前記消音片の一部は、前記逆止爪が振動する方向以外の方向から当接することを特徴とする請求項１記載のレンズ付きフイルムユニット。
【発明の詳細な説明】
【０００１】
【産業上の利用分野】
本発明は、レンズ付きフイルムユニットに関し、さらに詳しくは、巻き上げノブの回転操作時に生じる不快音を低減させたレンズ付きフイルムユニットの構造に関するものである。
【０００２】
【従来の技術】
誰でも簡単に撮影を楽しめるように、簡単な撮影機構を備え、そして国際標準規格ＩＳＯの１００７−１９７９年で規定された１３５タイプのパトローネ付きの写真フイルムを予め装填したレンズ付きフイルムユニット（以下、「フイルムユニット」と称す）が良く知られている。
【０００３】
フイルムユニットは、パトローネ付き写真フイルムを収納する本体基部と、この本体基部の前面に被着される前カバーと、本体基部の背面に被着され、これらの間で写真フイルムを光密にする後カバーとから構成され、本体基部には、パトローネ収納室とフイルム収納室とが一体に設けられている。パトローネ収納室にはパトローネが、またフイルム収納室にはパトローネから写真フイルムを引き出してロール状に巻き取ったフイルムロールがそれぞれ装填されており、撮影後に行われる巻き上げノブのフイルム巻き上げ操作によって１コマ分ずつ写真フイルムを巻き上げて露光済みのコマをパトローネの内部に巻き取る。
【０００４】
このようなフイルム巻き上げ機構では、フイルム巻き上げ操作の際に、巻き上げノブをフイルム巻き上げ方向とは逆の方向に回転操作すると、露光済みのコマがパトローネから引き出されてしまうため、巻き上げノブの逆転操作を阻止する逆転操作防止機構が設けられている。この機構は、巻き上げノブの外周に形成された歯列と、歯列に弾性自在に係合する逆止爪とから構成されており、これらはプラスチック材料で形成されている。逆止爪は、巻き上げノブのフイルム巻き上げ方向への回転操作の際には弾性変形してその回転を許容し、また、巻き上げノブの逆転操作の際には歯列のうちの何れかの歯溝に入り込んでその回転を阻止する。
【０００５】
ところが、このような逆転操作防止機構では、巻き上げノブを回転操作すると不快な音が生じる。この音は、逆止爪が歯で押されて弾性変形し、歯の移動に伴って元の位置に復元した際に次の歯に当接することで生じる。
【０００６】
そこで、こうした不快音をなくするために、巻き上げノブの外周にゴム等の弾性部材を設け、この弾性部材に歯列を形成した巻き上げノブを用いたフイルムユニットが実開平４−１０９７３７号公報で提案されているが、この方法では歯列が弾性部材であるため長期間使用されると逆止爪との摩擦で消耗し、逆転操作防止機構の役目を果たさなくなる恐れがある。このため、逆止爪の縁に当接する消音片を後カバーに一体に設け、この消音片で逆止爪が弾性変形して戻るときに摩擦抵抗を与えて不快な音を低減させていた（特開平６−２３０５２２号公報）。
【０００７】
【発明が解決しようとする課題】
しかしながら、このような消音片を設けてもそれ程の消音効果を得ることができなかった。というのは、この消音片を逆止爪の縁に当接させても、この消音片が後カバーに設けられているため当接力が弱く、したがって、逆止爪の振動が最小限に抑えられないためである。そこで、消音片を強く逆止爪に押し当てて強い摩擦抵抗を与えるようにすると、逆止爪の弾性変形が抑え込まれてしまい、逆止爪としての作用が行われなくなる恐れがある。
【０００８】
本発明は、このような問題点を解決するためになされたものであり、逆止爪の弾性変形を阻止することなくフイルム巻き上げ操作時に生じる不快な音を軽減したレンズ付きフイルムユニットを提供することを目的とする。
【０００９】
【課題を解決するための手段】
上記目的を達成するために、本発明のレンズ付きフイルムユニットでは、先端が前記巻き上げノブの歯列に係合するように本体部に突出して設けられ、巻き上げノブのフイルム巻き上げ方向への回転時に先端が歯列の歯を乗り越えるように根元との間で弾性変形してその巻き上げノブの回転を許容するとともに、フイルム巻き上げ方向への回転に対して逆転したときには復元力により前記歯列のうちの何れかの歯溝に入り込んでその巻き上げノブの逆転を阻止する逆止爪と；一部が巻き上げノブの歯列以外の部位又は巻き上げノブ以外の部材に当接するように逆止爪の先端と根元との間の部位に突出して一体的に設けられており、逆止爪が弾性変形して先端が歯を乗り越えた後に復元する振動を軽減して消音する消音片と；を有した消音用逆止爪部材と；を備えたものである。
【００１０】
これによれば、消音片が逆止爪に一体に設けられており、また、消音片の一部が巻き上げノブに当接していることから、逆止爪の振動に伴って消音片の一部が巻き上げノブ上で摺動するため、逆止爪の振動を最小限に抑えることができる。
【００１１】
なお、消音片を当接させる部材としては巻き上げノブに限らず、例えば後カバー等の他部品に当接させてもよい。また、当接する部分としては、消音片の先端でもよいし、先端と根元との間の部分でもよい。さらに、消音片の当接方向としては、逆止爪の弾性変形を阻止しないように、逆止爪の振動方向に対して直交する方向とするのが望ましい。
【００１２】
【実施例】
本発明のフイルムユニット１１は、図１に示すように、ユニット本体１２を外ケース１３で包んだ構成となっている。外ケース１３には、撮影レンズ１４、シャッタボタン１５、巻き上げノブ１６、ファインダー対物窓１７、及び、枚数表示窓１８等を外部に露呈させるための開口がそれぞれ設けられている。
【００１３】
撮影を行う場合には、巻き上げノブ１６を同図に示す矢印方向（反時計方向）に回転させて写真フイルムを巻き上げる。この操作は、巻き上げノブ１６の回転が禁止するまで行う。この巻き上げノブ１６の外周には、歯列１６ａが形成されている。そしてシャッタボタン１５を押下することにより撮影が行える。
【００１４】
ユニット本体１２は、図２に示すように、本体基部２０、後カバー２１、露光ユニット２２、及び、前カバー２３とからなる。本体基部２０には、国際標準規格（ＩＳＯ：１００７−１９７９年版）で規定された１３５タイプの写真フイルムパトローネ２４が装填される。また、露光ユニット２２には、撮影レンズ１４、シャッター機構２５、フイルムカウンター機構２６、ファインダー光学レンズ２７、及びフイルム巻き止め機構２８等が組み込まれており、これらは一体化されている。後カバー２１は、本体基部２０の背後に係止爪による爪係合によって取り付けられた後に超音波溶着にて一体化され、本体基部２０との間で写真フイルムパトローネ２４を光密に収納する。前カバー２３は、本体基部２０の前面に着脱自在に取り付けられる。
【００１５】
写真フイルムパトローネ２４は、写真フイルム２４ａと、この写真フイルム２４ａを光密に収納するパトローネ２４ｂとからなる。このパトローネ２４ｂは、写真フイルム２４ａの末端が固定されたスプール２４ｃを備え、スプール２４ｃが回転されたときに、スプール２４ｃの外周に露光済みの写真フイルム２４ａを巻き取る。
【００１６】
本体基部２０には、パトローネ２４ｂを収納するためのパトローネ収納室３０と、パトローネ２４ｂから引き出した未露光の写真フイルム２４ａのロール２４ｄを収納するためのフイルム収納室３１とが一体成形されている。これらの底は開口となっており、後カバー２１に設けたプルトップ式の底蓋３２，３３によってそれぞれ塞がれる。底蓋３３は装填時写真フイルム２４ａをロール状に巻き取るための治具等を挿入するための蓋であり、また、底蓋３２は全コマ撮影終了後に撮影済みの写真フイルム２４ａが収納されたパトローネ２４ｂを取り出す時の蓋となる。
【００１７】
巻き上げノブ１６は、パトローネ収納室３０の上部に回動自在に配置され、外部操作可能なように一部が後カバー２１の開口３４から一部露呈している。そして、パトローネ２４ｂが装填された際には巻き上げノブ１６の軸がパトローネ収納室３０の上壁開口を通してパトローネ２４ｂのスプール２４ｃに係合する。
【００１８】
パトローネ収納室３０とフイルム収納室３１との間には、暗箱３５が一体に設けられている。暗箱３５の前面には、開口３６が設けられており、また背面側にはアパーチャーが設けられている。暗箱３５の前面には、露光ユニット２２が着脱自在に取り付けられる。アパーチャーには、開口３６を介して露光ユニット２２の撮影レンズ１４を透過した被写体光が導かれる。なお、後カバー２１には、ファインダー接眼窓３７が一体に設けられている。前カバー２３には、ファインダー対物窓１７の他に、シャッタボタン１５等が一体に設けられている。
【００１９】
巻き上げノブ１６をフイルム巻き上げ方向に回転させて巻き上げ操作を行うと、パトローネ２４ｂのスプール２４ｃが回動し、写真フイルム２４ａが移送される。この写真フイルム２４ａには、パーフォレーションが設けられており、パーフォレーションの８個分がフイルム１コマに相当する。このパーフォレーションには、８枚歯の従動スプロケットが噛合しており、従動スプロケットの一回転で写真フイルム２４ａが丁度１コマ分送られる。この間にシャッター機構２５のチャージが行われる。
【００２０】
フイルム１コマ分だけ移送するとこれに連動してフイルム巻き止め機構２８が作動する。フイルム巻き止め機構２８の作動は、従動スプロケットの回転を禁止すると同時に、係止爪２８ａが巻き上げノブ１６の歯列１６ａに係合して巻き上げノブ１６のフイルム巻き上げ方向への回転操作を禁止する。
【００２１】
シャッタボタン１５が押下操作されると、シャッター機構２５が作動する。この作動に連動してフイルム巻き止め機構２８の作動が解除される。これにより、従動スプロケットと巻き上げノブ１６との回転が可能となり、次回の巻き上げ操作が許容される。
【００２２】
写真フイルム２４ａの最終コマに撮影を終えた後の巻き上げノブ１６を回転してゆく過程では、従動スプロケットがフリーになり、この状態で巻き上げノブ１６を回転させても巻き止めがかからず、したがって、写真フイルム２４ａの全てをパトローネ２４ｂの内部に巻き込むことができる。このようにして写真フイルム２４ａの全てをパトローネ２４ｂの内部に巻き込むと、現像所でのパトローネ２４ｂの取り出し作業が楽になる。
【００２３】
本体基部２０には、逆止爪４０と消音片４１とからなる消音用逆止爪部材が一体に設けられている。逆止爪４０は、本体基部２０に一体に設けられ、フイルム巻き上げ操作の際にフイルム巻き上げ方向とは逆の方向に回転操作されるのを防止する。この逆止爪４０は、図３に示すように、本体基部２０からＬ字状に立ち上げて形成されており、その先端４０ａが巻き上げノブ１６の歯列１６ａに係合し、巻き上げノブ１６のフイルム巻き上げ方向への回転操作の際に係止爪４０が弾性変形してその回転を許容し、また、逆転操作の際には歯列１６ａのうちの何れかの歯溝に入り込んでその回転を阻止する。
【００２４】
逆止爪４０には、消音片４１が一体に形成されている。この消音片４１は、逆止爪４０の先端４０ａに寄った位置からＬ字状に立ち上げて弾性自在に形成されており、その先端４１ａが巻き上げノブ１６の上面１６ｂで、且つ回転中心から外れた位置に、逆止爪４０が振動する方向に対して直交する上方から押さえ付けるようにして設けられており、逆止爪４０の先端４０ａが歯列１６ａを乗り越える時に弾性変形する振動を低減し、これに伴って不快な音を低減させる。巻き上げノブ１６の上面１６ｂが平滑面となっているため、ここに消音片４１の先端４１ａを押し付けて当接させても、フイルム巻き上げ操作時に巻き上げノブ１６の回転操作に負担をかけることはない。
【００２５】
本体基部２０と後カバー２１とは、暗室内で予め内部に写真フイルムパトローネ２４を収納し、その後超音波溶着にて固定する。
【００２６】
ところで、巻き上げノブ１６を超音波溶着の前にパトローネ収納室３０の上部に取り付けると、万が一消音片４１又は逆止爪４０と巻き上げノブ１６とが溶着されてしまう恐れがある。そこで、巻き上げノブ１６を超音波溶着した後に取り付けるのが好適である。なお、超音波溶着の前に巻き上げノブ１６を取り付ける場合には、逆止爪４０及び消音片４１とを弾性変形させて巻き上げノブ１６との接触を解除した状態で行うのが望ましい。しかしながら、超音波溶着の条件によっては、巻き上げノブ１６と消音片４１との溶着を少なくすることができるため、軽い力でひき剥がせば、消音片４１に影響なく使用可能となる。したがって、従来通り、本体基部２０、露光ユニット２２、前カバー２３を取り付けた後に、写真フイルムパトローネ２４を装填し、その後に後カバー２１を取り付けて溶着することもできる。
【００２７】
しかる後に、別のラインで予め組み立てておいた露光ユニット２２を本体基部２０の前面に取り付けた後に、前カバー２３を前面から被せ、最後に外ケース１３で覆うことでフイルムユニット１１が完成する。
【００２８】
上記構成の作用を簡単に説明する。撮影を行う場合には、先ず、巻き上げノブ１６をフイルム巻き上げ方向（図３に示す矢印方向）に回転操作する。この操作の際に、逆止爪４０の先端４０ａが歯列１６の歯で押されて逆止爪４０が弾性変形し、歯の移動に伴って元の位置に復元した際に次の歯に当接することで不快な音が生じる。しかしながら、逆止爪４０が弾性変形して戻るときに、逆止爪４０の先端４０ａ寄りに一体に設けた消音片４１が巻き上げノブ１６の上面１６ｂで摺動するため、逆止爪４０の振動が最小限に抑えられ、不快な音が確実に低減する。また、消音片４１の押し付け方向が逆止爪４０が振動する方向に対して直交する方向となっていることから、逆止爪４０の弾性変形を阻止することがなく、フイルム巻き上げ操作のスムーズさを損なうことがない。
【００２９】
フイルム巻き上げ操作によってシャッター機構２５のチャージが行われ、１コマ分の写真フイルム２４ａが移送されると、フイルム巻き止め機構２８が作動して、従動スプロケットの回転が禁止されると同時に、巻き上げノブ１６のフイルム巻き上げ方向への回転操作も禁止される。
【００３０】
撮影を行う場合には、シャッタボタン１５を押下する。シャッタボタン１５が押下されると、シャッター機構２５が作動して撮影レンズ１４を透過した被写体光がアパーチャーにセットされた写真フイルム２４ａに露光される。このシャッター機構２５の作動に連動してフイルム巻き止め機構２８の作動が解除され、従動スプロケットの回転が可能となり、また巻き上げノブ１６のフイルム巻き上げ方向への回転操作が許容される。
【００３１】
その後は、前述したようにフイルム巻き上げ操作とシャッタレリーズとを繰り返してゆき、そして、写真フイルム２４ａの最終コマを撮影すると、その後は巻き上げノブ１６の空送り操作によって写真フイルム２４ａの全てがパトローネの２４ｂの内部に収納される。この使用済みのフイルムユニット１１は、現像所に提出され、従来どおりの現像及び焼付け処理が行われる。これによりユーザーには、プリント写真と現像済み写真フイルムとが返却される。
【００３２】
上記実施例では、消音片４１を巻き上げノブ１６の上面１６ｂに当接させているが、消音片４１を巻き上げノブ１６に当接させる位置としては、巻き上げノブ１６の上面１６ｂに限ることはない。例えば、図４に示すように、巻き上げノブ１６の下面１６ｃに消音片５０の先端５１ａを当接させるようにしてもよい。
【００３３】
また、消音片４１の当接方向としては、逆止爪４０が振動する方向に対して直交する方向としているが、本発明ではこれに限らず、直交する方向から僅かに傾斜した方向で当接させてもよい。例えば図５に示すように巻き上げノブ１６の上の外縁に形成されたテーパ面１６ｄに消音片５１の先端５１ａを摺動させるようにしてもよい。また図６に示すように下方のテーパ面１６ｅに消音片５２の先端５２ａを摺動させるようにしてもよい。これらの実施例の場合には、消音片５１，５２をテーパ面１６ｄ，１６ｅに対して直交方向に沿って当接させるのが望ましい。
【００３４】
また、巻き上げノブ１６に当接させる部分としては、消音片４１の先端としているが、本発明ではこれに限らず、図７に示すように消音片５３の先端と根元との間の部分で当接させるようにしてもよい。
【００３５】
さらに、上記実施例では、消音片４１を巻き上げノブ１６に当接させているが、本発明ではこれに限らず、消音片を巻き上げノブ１６以外の他部品、例えば本体基部２０や後カバー２１等に当接させるようにしても、逆止爪４０の振動を抑えることができるから、同じ効果が得られることはいうまでもない。
【００３６】
図８は、超音波溶着によって消音片４１と巻き上げノブ１６とが溶着されてしまうのを防止するために、巻き上げノブ１６の上面１６ｂに円形の凹部６０を設けた実施例を示している。凹部６０は、巻き上げノブ１６を回転操作した際に、消音片４１が摺接する軌跡上の一か所に、消音片４１の当接方向に沿って凹んで形成されている。凹部６０の凹みは、消音片４１が当接しない深さにする必要はなく、超音波溶着の条件により溶着が防げる深さでよい。また、フイルム巻き上げ操作の際に消音片４１の上面１６ｂに向けての乗り上がりをスムーズにするために、上面１６ｂに近い凹部６０の周辺を斜面６１とするのが望ましい。
【００３７】
これによれば、超音波溶着を行う際に、消音片４１の当接位置に凹部６０が位置するように巻き上げノブ１６を取り付ければ、これらの溶着が確実に防止でき、これらが溶着されていないかどうかを検査する工程を省略することができる。また、巻き上げノブ１６を取り付ける際には、消音片４１を弾性変形させることなくスムーズに取り付けることが可能となり、消音片４１の破損等を防止することができる。なお、本発明の凹部としては、凹みに限らず、図９に示すように、開口６２としてもよい。これによれば、金型で成型し易くなる利点がある。
【００３８】
【発明の効果】
以上のように本発明のレンズ付きフイルムユニットでは、消音片を逆止爪に一体に設け、消音片の一部を巻き上げノブの歯列以外の部位、又は巻き上げノブ以外の他部品に当接させるようにしたから、歯を乗り越えるときに逆止爪の弾性変形及び復元する振動に伴って消音片の一部が巻き上げノブの部位、又は他部品の上で摺動して、逆止爪の振動を最小限に抑えることができ、よって不快の音が確実に減少する。
【００３９】
また、消音片の押し付け方向を逆止爪が振動する方向に対して直交する方向とした発明によれば、逆止爪の弾性変形を阻止することがなく、したがって、逆止爪の作用を維持した状態で、しかもフイルム巻き上げ操作のスムーズさをそのまま維持することができる。
【図面の簡単な説明】
【図１】レンズ付きフイルムユニットの外観を示す斜視図である。
【図２】ユニット本体の分解斜視図である。
【図３】消音片と巻き上げノブとの要部を背面側から見た斜視図である。
【図４】消音片を巻き上げノブの下面に当接させた実施例を示す説明図である。
【図５】消音片を巻き上げノブの上テーパ部に当接させた実施例を示す説明図である。
【図６】消音片を巻き上げノブの下テーパ部に当接させた実施例を示す説明図である。
【図７】消音片の中間部を巻き上げノブに当接させた実施例を示す説明図である。
【図８】巻き上げノブに凹部を設けた実施例を示す要部断面図である。
【図９】巻き上げノブに開口を設けた実施例を示す要部断面図である。
【符号の説明】
１１  レンズ付きフイルムユニット
１２  ユニット本体
１３  外ケース
１６  巻き上げノブ
１６ａ  歯列
２１  後カバー
２２  露光ユニット
２４  写真フイルムパトローネ
４０  逆止爪
４１，５０，５１，５２，５３  消音片
６０  凹部
６１  斜面
６２  開口
【図１】
0003585280.tif 000002
【図２】
0003585280.tif 000003
【図３】
0003585280.tif 000004
【図４】
0003585280.tif 000005
【図５】
0003585280.tif 000006
【図６】
0003585280.tif 000007
【図７】
0003585280.tif 000008
【図８】
0003585280.tif 000009
【図９】
0003585280.tif 000010